(57)【特許請求の範囲】
【請求項１】
海底に敷設する敷設物と、敷設物を海底で支持する支持体の間隙に固結材を注入して支持基礎を構築する方法において、
敷設物と支持体の間に袋体を配置するとともに、
該袋体の全面を被覆材で覆って、その外周縁部を支持体に接着し、
この被覆材の内部の空気を吸引して被覆材の内部を負圧状態とし、
被覆材で被覆した前記袋体を支持体に密着させた後、
前記袋体内に固結材を注入して膨脹させることを特徴とする、
敷設物用基礎の構築方法。
【請求項２】
海底に敷設する敷設物と、敷設物を海底で支持する支持体の間隙に固結材を注入して支持基礎を構築する方法において、
敷設物と支持体の間に袋体を配置し、
接着剤などで袋体を支持体に固定した後、
この袋体の内部の空気を吸引して袋体の内部を負圧状態とし、
前記袋体を支持体に密着させた後、
前記袋体内に固結材を注入して膨脹させることを特徴とする、
敷設物用基礎の構築方法。
【請求項３】
請求項１に記載の敷設物用基礎の構築方法において、
袋体内に固結材を注入し、
被覆材が破れる状態まで膨脹させることを特徴とする、
敷設物用基礎の構築方法。
【発明の詳細な説明】
【０００１】
【発明の属する技術分野】
本発明は、海洋構造物等の敷設物用基礎の構築方法に関するものである。
【０００２】
【従来の技術】
従来の海洋構造物等の敷設物用基礎の構築方法においては、支持体と敷設物との間に袋体を配置する場合、袋体を支持体に密着させることなく支持体に取り付けていた。
【０００３】
【本発明が解決しようとする課題】
前記した従来の敷設物用基礎の構築方法においては、次のような問題点があった。
＜イ＞支持基礎を水中に構築する場合、支持体と敷設物の間に配置する袋体の一部が水中に浮遊し、水流や波浪等の外力の影響を受け袋体が損傷を受けたり、支持体から剥離することがある。
＜ロ＞筒状の支持体の中にパイプを通す場合、袋体の一部が筒状の支持体内に垂れ下がり、パイプを通す作業を阻害したり、或いは袋体が損傷を受けたり、支持体から剥離することがある。
【０００４】
【本発明の目的】
本発明は上記したような従来の問題を解決するためになされたもので、袋体が固結材注入前に損傷を受けたり、支持体から剥離し離脱したり、あるいは支持体内に敷設物を挿入する際にその作業を阻害することなく、円滑に固結材を袋体に注入することができる敷設物用基礎の構築方法を提供することを目的とする。
【０００５】
【課題を解決するための手段】
上記のような目的を達成するために、本発明の構築方法は、海底に敷設する敷設物と、敷設物を海底で支持する支持体の間隙に固結材を注入して支持基礎を構築する方法において、敷設物と支持体の間に袋体を配置するとともに、該袋体の全面を被覆材で覆って、その外周縁部を支持体に接着し、この被覆材の内部の空気を吸引して被覆材の内部を負圧状態とし、被覆材で被覆した前記袋体を支持体に密着させた後、前記袋体内に固結材を注入して膨脹させることを特徴とする敷設物用基礎の構築方法、あるいは、海底に敷設する敷設物と、敷設物を海底で支持する支持体の間隙に固結材を注入して支持基礎を構築する方法において、敷設物と支持体の間に袋体を配置し、接着剤などで袋体を支持体に固定した後、この袋体の内部の空気を吸引して袋体の内部を負圧状態とし、前記袋体を支持体に密着させた後、前記袋体内に固結材を注入して膨脹させることを特徴とする敷設物用基礎の構築方法である。
【０００６】
【発明の実施の形態１】
以下図面を参照しながら本発明の実施の形態について説明する。
【０００７】
＜イ＞敷設物。
本発明の対象となる敷設物は、例えば海洋構造物やパイプなど海底に敷設する物体である。
【０００８】
＜ロ＞支持体。
敷設物を直接海底に設置した場合、不等沈下等を生ずる。そのために海底には支持体を設置し、その上に敷設物を載置する。支持体は例えばコンクリート製の板体である。
【０００９】
＜ハ＞袋体。
袋体４は、その内部にモルタル等の固結材を注入できる伸縮性を有する袋状のものである。また袋体４は、通気性のある材料やゴム、ビニ−ル等の不透水膜で形成するが、被覆材３で覆わない場合は、通気性の材料は使用せず不透水膜だけを用いる。
袋の内部に固結材を注入するための注入口８を備えている。
【００１０】
＜ニ＞被覆材。
被覆材３は、ビニール等のように気密性及び伸縮性を有するシ−ト状の部材である。これに膨脹力が作用した場合、これに対応して容易に膨脹し、あるいは一定限度まで膨脹した場合は破れるようなものであってもよい。図１のように、袋体４を完全に覆うようにするため、その外周縁部に接着材７や他の接着手段のための取付代を設ける。また内部の空気を吸引するための吸引口９を設けてある。
【００１１】
＜ホ＞袋体の配置と被覆、及び被覆材内部の空気の吸引。
袋体４を、敷設物１に対向する支持体２の全面に配置するか、又は所要の間隔をもたせて配置する。次に、袋体４を被覆材３で全面を包み込むように覆う。さらに、被覆材３の外周縁部に接着材７を塗布し、支持体２に接着する。被覆材３と支持体２との接着手段は、接着材に限定されることはなく、板状体等を被覆材３の外周縁部に配置しボルト等で固定し支持体２に接着させたり、粘着テ−プ状の部材等を用いて接着させてもよい。
次に、吸引機をもって被覆材３の内部の空気を吸引する。被覆材内部を負圧状態とすることで被覆材３を袋体４とともに支持体２に密着することができる。
なお被覆材３内部の空気は、支持体２を海底地盤上の設置する前に吸引しないで、海底地盤上に設置した後に吸引して密着させる場合もある。
【００１２】
＜ヘ＞固結材の袋体への注入。
支持体２を海底地盤上に設置する。支持体の周囲には仮受杭６を打設する。その上部に敷設物１を仮受けする。
この状態において、海上の固結材運搬船より袋体４に連接している固結材注入ホース５を通して袋体４に固結材を注入する。
すると袋体４は膨脹し、図２の１点鎖線で示すように敷設物１の底面に接触し、敷設物１と支持体２との間隙を埋める。この場合、袋体４を被覆しているビニール等の被覆材３は袋体４の膨脹に伴って破れることもある。
固結材の固化に伴って敷設物、支持体及び袋体が一体となり敷設物基礎とて機能する。
【００１３】
＜ト＞袋体を被覆材で覆わない場合。
袋体を被覆材で覆うことなく施工する場合もある。この場合は気密性及び伸縮性を有するゴム、ビニ−ル製等の不透水膜で袋体を構成する。袋体を支持体に接着剤やボルト等により支持体に固定した後、上記と同様の方法で袋体内部の空気を吸引して支持体に密着させた後、固結材を袋体内に注入して袋体が敷設物に接触するまで膨脹させれば、敷設物と支持体と一体となり支持基礎を形成することができる。
この場合、袋体内への固結材注入と同時に空気を注入することがないように、固結材の種類や注入方法を適切に選択する。
【００１４】
＜チ＞上記の方法は、沈埋函を水中の基礎杭上に設置する際、基礎杭上部の沈埋函との対向面に被覆材３で覆われた袋体４を設置して敷設物用基礎を構築する方法にも適用することができる。
【００１５】
【発明の実施の形態２】
＜イ＞敷設物用基礎としてパイプ用基礎を例にとり、その構築方法を図３及び４に基づき説明する。
【００１６】
＜ロ＞図３及び４に示すように、敷設物１であるパイプを連接して敷設する際は、所望の箇所を載置台に固定してパイプを支える。
まずパイプ載置台１０を準備し、その載置台上に筒状の支持体２を載置する。
次に支持体２の内側面に気密性及び伸縮性を有する袋体又は被覆材３で覆った袋体４を配置した後、発明の実施の形態１と同様に気密性を有する被覆材内部の空気を吸引し、袋体４を筒状の支持体２に密着させる。さらに、自由空間が生じた筒状の支持体２内部にパイプ敷設物１を挿入し、支持体２と敷設物１の同心軸が一致するように位置決めし、敷設物１を支持体２の中心に据え付ける。
最後に、袋体４に固結材を注入し、袋体を膨脹させ敷設物１と支持体２との間隙を埋め敷設物を固定するが、その方法は発明の実施の形態１において説明した方法と同一である。
また袋体を被覆材で覆わない場合があることは、前記と同様である。
【００１７】
【本発明の効果】
本発明の敷設物用基礎の構築方法は以上説明したようになるから次のような効果を得ることができる。
＜イ＞袋体を支持体に密着させるように構成したので、敷設物用基礎を水中に構築する場合、固結材を注入する袋体の一部が水中に浮遊し、水流や波浪等の外力の影響により損傷を受けたり、支持体から剥離することがない。
＜ロ＞筒状の支持体の中にパイプを通す場合、袋体の一部が筒状の支持体内に垂れ下がり、パイプを通す作業を阻害したり、或いは袋体が損傷を受けたり、支持体から剥離することがない。
従って、支持体への敷設物の配置及び袋体内への固結材注入を整斉円滑に行うことができる。
【図面の簡単な説明】
【図１】本発明で使用する袋体と被覆材の説明図。
【図２】本発明の敷設物を海洋構造物とした場合の実施例の説明図。
【図３】本発明の敷設物をパイプとした場合の実施例の側面図。
【図４】本発明の敷設物をパイプとした場合の実施例の断面図。
【図１】
0004445083.tif 000002
【図２】
0004445083.tif 000003
【図３】
0004445083.tif 000004
【図４】
0004445083.tif 000005